(57)【特許請求の範囲】
【請求項１】
初期設定項目の内、第１の所定の項目にそれぞれ対応してオン／オフ設定される複数のスイッチ手段と、
初期設定のメニューが表示される表示部と、
前記表示部のメニューに従って操作され、初期設定項目の内、第２の所定の項目の初期設定データを設定するキー部と、
前記キー部により設定された前記第２の所定の項目の初期設定データが格納される記憶手段と、
前記スイッチ手段の設定状態及び前記記憶手段の内容を読み込んで、その内容に基いてプリセットカウンタとしての演算処理を行う演算手段と
を有し、
前記第１の所定項目と前記第２の所定項目とを一部重複させ、該重複した設定項目の設定内容を前記スイッチ手段と前記記憶手段とでは異ならせたことを特徴とするプリセットカウンタ。
【発明の詳細な説明】
【０００１】
【産業上の利用分野】
本発明は初期設定機能を備えたプリセットカウンタに関するものである。
【０００２】
【従来の技術】
従来この種のプリセットカウンタの初期設定においては、ディップスイッチ又はロータリスイッチによってＯＮ／ＯＦＦ状態を設定するスイッチ式か、或いは操作パネルでユーザーのキー操作で行うメニュ−式のいずれか一方の方式が採用されていた。
【０００３】
【発明が解決しようとする課題】
プリセットカウンタの初期設定においてスイッチ式を採用した場合には、初期設定項目分の接点数を確保しなければならないため、スペースファクタが大きくなり、プリセットカウンタのような小型電子機器ではその接点数を確保するのが困難である。その結果、初期設定の項目数が限定されてしまい、カウンタの機能が低下し、ユーザーのアプリケーションを制限する、という問題点があった。
【０００４】
また、メニュ−式を採用した場合には、プリセットカウンタのような小型電子機器では、ユーザーに理解し易い専用のメニューの表現機能やメニュー式に対応した専用のキーを持つことができず、このため、プリセットカウンタ自体の機能が優先された状態のもとで、ユーザーは、プリセットカウンタの表示機能とキー入力とが兼用化されたメニュー表示機能及びキー入力（キー操作）を利用しなければならなかった。従って、ユーザーは、メニュー表示自体がまず初期設定項目の何を示しているのかを理解し、更に、初期設定のためのキー操作を理解した上で初期設定を行う必要があるため、初期設定操作が煩雑になる、という問題点があった。
【０００５】
本発明は、このような問題点を解決するためになされたものであり、ユーザーにとって設定し易く、且つ初期設定の項目数が限定されない初期設定機能を備えたプリセットカウンタをて提供することを目的とする。
【０００６】
【課題を解決するための手段】
本発明の一つの態様に係るプリセットカウンタは、初期設定項目の内、第１の所定の項目にそれぞれ対応してオン／オフ設定される複数のスイッチ手段と、初期設定のメニューが表示される表示部と、前記表示部のメニューに従って操作され、初期設定項目の内、第２の所定の項目の初期設定データを設定する操作部と、前記操作部により設定された第２の所定の項目の初期設定データが格納される記憶手段と、前記スイッチ手段の設定状態及び前記記憶手段の内容を読み込んでその内容に基いてプリセットカウンタとしての演算処理を行う演算手段とを有する。そして、第１の所定項目と第２の所定項目とを一部重複させて、その重複した設定項目の設定内容をスイッチ手段と記憶手段とでは異ならせている。
【０００７】
【作用】
本発明の一つの態様においては、初期設定をいわゆるスイッチ式とメニュー式の双方によって行っている。従って、使用頻度の高い項目についてはスイッチ式とし、使用頻度の低い項目についてはメニュー式とすることにより、操作の簡便さを保持しつつ、設定項目の多さに対しても対応している。そして、第１の所定項目と第２の所定項目とを一部重複させて、スイッチ式とメニュー式の双方によって設定できるようにし、その項目についての使用頻度の高い設定内容についはスイッチ式として、使用頻度の低い設定内容についてはメニュー式とすることにより、操作の簡便さを保持しつつ、設定内容の多様さに対しても対応している。
【０００８】
【実施例】
図１は本発明の一実施例に係るプリセットカウンタの構成を示すブロック図である。図において、１０はＣＰＵであり、これはシングルチップマイクロプロセッサから構成されており、ＲＡＭ１１及びＲＯＭ１２を内臓している。１３はスイッチ部であり、ディップスイッチから構成され初期設定のために用いられる。１４は表示部であり、各種のデータ、メニュー等を表示する。１５はキー部であり、設定キー及びリセットキーからなる。１６は記憶部であり、これは不揮発性のメモリ、ＥＥＰＲＯＭ等から構成され、初期設定等のデータが記憶される。この記憶部１６は本実施例においてはＥＥＰＲＯＭを使用するものとする。
【０００９】
図２は図１のプリセットカウンタの外観図である。筐体２０の正面の操作パネル２１には表示部１４及びキー部１５が設けられている。キー部１４は「１」〜「６」の設定キー１７及びリセットキーＲＳＴ１８から構成されている。また、スイッチ部１３は筐体２０の側面に配置されており、これは開閉自在な蓋２２により覆われている。このスイッチ部１３は筐体２０の裏面に配置してもよい。
【００１０】
図３は図１の実施例における初期設定の構成を示した説明図である。スイッチ部１３にはディップスイッチ１から４（以下ＳＷ１〜４という）が含まれており、その内、ディップスイッチＳＷ１〜３は、プリセトカウンタの大部分のユーザが使用するのに必要十分な初期設定項目を割り当てる。つまり標準的な初期設定はスイッチ式で動作させるようにするものとする。ディップスイッチＳＷ４はプリセットカウンタの動作モードを決めるものであり、それがＯＮになっていると、特殊な初期設定を行うセットアップモードにし、メニュ−式によって初期値を設定する。ディップスイッチＳＷ４がＯＦＦになっていると運転モードになり、プリセットカウンタの動作が開始する。図３に示されるように、スイッチ式においては二者択一的な設定（ＯＮ／ＯＦＦ）がなされ、ここでは、スイッチＳＷ１〜４に対応して計数速度、入力モード、出力モード及び動作モードがそれぞれ設定される。また、メニュー式においては、スイッチ式とは異なり、多岐選択が可能になっており、ここでは、計数速度、計数記憶、入力論理、出力モード、出力時間、プリスケール、小数点及び設定値「０」の出力許可・禁止設定が初期設定の対象項目となっている。
【００１１】
プリセットカウンタのＣＰＵ１０は電源投入時にディップスイッチＳＷ４の設定内容をチェックし、運転モードに設定されているときには、設定されている初期設定に従って制御運転を開始する。また、ディップスイッチＳＷ４の設定内容が、セットアップモードに設定されているときには、プリセットカウンタの初期設定の設定を行うメニュー式の設定機能が動作する。次に、このセットアップモードのメニュ−式の設定について説明する。図４及び図５はそれぞれメニュ−式の設定時における表示部１４の表示画面を示した図である。
【００１２】
（１）操作パネル上の表示部１４には図４（Ａ）の画面が表示される。この表示はプリセットカウンタの計数速度を選択するものである。プリセットカウンタの計数速度は、スイッチ式においても設定できるが、この方式においては例えば３０ＣＰＳ／５ＫＣＰＳの２つの内のいずれかしか選択できないが、このメニュー式においても計数速度の設定機能を追加することによって、３０ＣＰＳ／５ＫＣＰＳ以外のユーザーの仕様に合った計数速度の設定が可能になっている。図４（Ａ）の表示は、計数速度がディップスイッチＳＷ１の設定内容で設定されることを示しており、ここで、設定キー１７の「１」キーを押すと、図４（Ｂ）に示されるように、スイッチＳＷ１で設定できない計数速度「２００ＣＰＳ」を示す設定表示となる。ここで、設定キー１７の「２」キーを押すと、図４（Ｃ）に示されるように、ディップスイッチＳＷ１では設定できない計数速度１０００ＣＰＳを示す設定表示となる。更に、設定キー１７の「３」キーを押すと、図４（Ｄ）に示されるように、計数速度はディップスイッチＳＷ１の設定内容になることを示す設定表示となる。いずれの設定内容にしても、その設定完了後に、「ＲＳＴ」キー１８を押すと設定内容が確定する。なお、ここで設定内容が例えば計数速度をディップスイッチＳＷ１の設定内容にする場合には後述する図８に示すようにＥＥＰＲＯＭ１６に「０」を書き込み、１０００ＣＰＳの場合には「２」を書き込むものとする。以上のようにして計数速度の設定が終了すると、次のメニュ−、例えば計数記憶の設定に進む。
【００１３】
（２）操作パネル２１上の表示部１４には図５（Ａ）の画面が表示される。この初期設定においてはプリセットカウンタの計数記憶を選択するかどうかを設定するものであり、この表示は計数値が停電時に記憶されることを示している（初期状態）。ここで、設定キー１７の「１」キーを押すと、図５（Ｂ）に示されるように、計数値が電源リセットされることを示す設定表示となる。ここで、設定キー１７の「２」キーを押すと、図５（Ｃ）に示されるように、計数値が停電時に記憶されることを示す設定表示となる。設定完了後に、「ＲＳＴ」キー１８を押すと設定内容が確定し、次のメニュ−に進む。
【００１４】
それ以降の入力論理、出力モード、出力時間、プリスケール、小数点及び設定値「０」の出力許可・禁止設定においても同様にして初期設定表示が行なわれ、設定キー１７及び「ＲＳＴ」キー１８のキー操作によってそれ初期設定が設定される。なお、出力モードについてはスイッチ式においてもその初期設定はできるが、その操作は上述の計数速度の場合と同様であり、その説明は省略する。これらの計数速度及び出力モードの場合のように、スイッチ式及びメニュー式の両方によって初期設定でいるものについては、セットアップモードで初期設定を行わない場合、又はメニュ−式の設定の中でスイッチ部１３の初期設定を有効にした場合には、スイッチ部１３の初期設定が有効となる。
【００１５】
次に、図１のプリセットカウンタの初期設定機能の処理について説明する。
図６は電源投入時の処理を示したフローチャートである。電源が投入されると、ＣＰＵ１０はスイッチＳＷ４の内容を読み込んで、それがセットアップモードになっているか、或いは運転モードになっているかどうかを判断する（Ｓ１）。そして、セットアップモードとなっていたときには、セットアッププログラムを起動してその処理を行う（Ｓ２）。また、運転モードとなっていたときには、初期設定内容に応じて、各種機能の設定を行った後にプリセットカウンタとしての運転動作を開始する（Ｓ３）。
【００１６】
図７はセットアップモードにおけるメニュー式初期設定の処理の詳細を示したフローチャートである。この処理が開始されると、計数速度の設定処理（表示・キー）を行う（Ｓ４）。次に「ＲＳＴ」キー１８が入力されたかどうかの判断を行う（Ｓ５）。「ＲＳＴ」キー１８が入力された場合には、計数速度の設定内容を内蔵ＲＡＭ１１とＥＥＰＲＯＭ１６に書き込む（Ｓ６）。次に、計数記憶の設定処理（Ｓ７〜Ｓ９）に進み、同様の処理がなされる。次に、入力論理、出力モード、出力時間、プリスケール、及び小数点についても同様な処理がなされてそれぞれ初期設定がなされる。そして、最終の設定対象である設定値「０」の出力許可・禁止設定についての設定処理（表示・キー）を行い（Ｓ１０）。次に「ＲＳＴ」キー１８が入力されたかどうかの判断を行う（Ｓ１１）。「ＲＳＴ」キー１８が入力された場合には、その設定内容を内蔵ＲＡＭ１１とＥＥＰＲＯＭ１６に書き込む（Ｓ１２）。なお、この設定値「０」の出力許可・禁止設定とは、プリセット値が０に設定されているときに、カウンタの動作として、出力を許可するのか禁止するのかを設定するものである。
【００１７】
図８はＥＥＰＲＯＭ１６に格納された各項目毎の初期設定値を示した図である。同図から明らかなように、各項目毎に初期設定値が設定され、特に、その項目がディップスイッチにおいても設定できるもの、例えば「計数速度」の場合についてみると、ディップスイッチが有効な場合には設定値を「０」が設定される。この「０」の設定については計数速度の初期設定の際に説明したとおりである。なお、初期設定の設定内容は、プリセットカウンタの出荷時のＥＥＰＲＯＭ１６の内容は、ディップスイッチＳＷ１，３に従った設定となっており（設定値として「０」が予め書き込まれている。）、また、ディップスイッチＳＷ１，３以外の初期設定項目は使用頻度が最も高い設定内容となっている。
【００１８】
図９は初期設定内容による機能設定の処理の詳細を示したフローチャートである。電源が投入されたときにディップスイッチＳＷ４が運転モードに設定されていると、プリセットカウンタしての動作を開始する前に、スイッチ式においてのみ設定されている初期設定項目について例えばディップスイッチＳＷ２の状態を読み込むと共に、ＥＥＰＲＯＭ１６に格納されてる初期設定の内容（図８参照）を読み込んでＲＡＭ１１に転送する（Ｓ２１）。このとき、初期設定項目においてディップスイッチによる設定が有効なものがあるかどうかを判断し（Ｓ２２）、該当するものがあった場合には該当するディップスイッチの状態を読み込む（Ｓ２３）。計数速度の場合についてみると図８の「計数速度」に「０」が設定されていた場合には、ディップスイッチＳＷ１のＯＮ／ＯＦＦ状態を読み込む。そして、各初期設定の内容によりその機能を確定し（Ｓ２４）、次に、その機能に基いてプリセットカウンタとしての動作を開始する。
【００１９】
以上の実施例の説明から明らかなように、初期設定項目について使用頻度の高い項目対してはスイッチ式の初期設定機能とすることにより簡便性を確保し、また、使用頻度が低く、スイッチ式では設定できない項目についてはメニュー式を採用している。
【００２０】
【発明の効果】
以上のように本発明の一つの態様によれば、初期設定をいわゆるスイッチ式とメニュー式の双方によって行うようにしたので、使用頻度の高い項目についてはスイッチ式とし、使用頻度の低い項目についてはメニュー式とすることにより、操作の簡便さを保持しつつ、設定項目の多さに対しても対応することができる。その結果、プリセットカウンタの機能を十分発揮させることができ、また、使用頻度が低いプリケーションにも対応できる。そして、第１の所定項目と第２の所定項目とを一部重複させて、スイッチ式とメニュ式の双方によって設定できるようにしたので、その項目についての使用頻度の高い設定内容についはスイッチ式として、使用頻度の低い設定内容についてはメニュー式とすることにより、操作の簡便さを保持しつつ、設定内容の多さに対しても対応することができる。
【図面の簡単な説明】
【図１】図１は本発明の一実施例に係るプリセットカウンタの構成を示すブロック図である。
【図２】図１のプリセットカウンタの外観図である。
【図３】図１の実施例における初期設定の構成を示した図である。
【図４】図１のプリセットカウンタにおいてメニュー式によって計数速度を初期設定するときの表示部の画面を示した図である。
【図５】図１のプリセットカウンタにおいてメニュー式によって計数記憶を初期設定するときの表示部の画面を示した図である。
【図６】図１のプリセットカウンタにおいける電源投入時の処理を示したフローチャートである。
【図７】図１のプリセットカウンタにおけるメニュー式初期設定の処理の詳細を示したフローチャートである。
【図８】図１のプリセットカウンタのＥＥＰＲＯＭに格納された各項目毎の初期設定値を示した図である。
【図９】図１のプリセットカウンタにおける初期設定内容による機能設定の処理の詳細を示したフローチャートである。
【図１】
0003641810.tif 000002
【図２】
0003641810.tif 000003
【図３】
0003641810.tif 000004
【図４】
0003641810.tif 000005
【図５】
0003641810.tif 000006
【図６】
0003641810.tif 000007
【図７】
0003641810.tif 000008
【図８】
0003641810.tif 000009
【図９】
0003641810.tif 000010